(57)【要約】      （修正有）【課題】振動効果を消散させるために粘弾性材料または同様の材料を組み込んだ壁型ダンパを提供する。【解決手段】一対の内側パネル１０１と、複数の制振手段１０３と、複数の外板１０４と、を収容するために相互に連結され、一対の内側パネル１０１は、接合部１０２によって上下に連結され、頂部キャップ１０８は一対の内側パネル１０１を収容するスリットを有し、複数の制振手段１０３は一対の内側パネル１０１の両側に結合され、複数の外板１０４は複数の制振手段１０３に結合され、複数の補強部材１０６が一対のカバー板１０５の表面に配置され、一対の内側パネル１０１、接合部１０２、複数の制振手段１０３、複数の外板１０４、及び一対のカバー板１０５は、複数のキャビティを備え、複数のキャビティを通る連結手段により互いに位置合わせされる。【選択図】図１ａ
2019218844.tif 000002
【特許請求の範囲】
【請求項１】
上階及び下階に接続される壁型ダンパ（１００）であって、
頂部キャップ（１０８）と、一対のカバー板（１０５）と、一対のサイド部材（１０７）と、及び基部（１１０）と、を有し、これらが互いに連結されて、一対の内側パネル（１０１）と、複数の制振手段（１０３）と、複数の外板（１０４）と、を収容するフレーム構造を形成し、
前記一対の内側パネル（１０１）は、接合部（１０２）によって互いに垂直に連結され、保持手段（１０９）によって上階に係合し、プラットフォーム（１１１）によって下階に係合し、
前記頂部キャップ（１０８）は、前記一対の内側パネル（１０１）を受け入れるためのスリット（１１４）を有し、前記保持手段（１０９）が前記スリット（１１４）から延出され、
前記複数の制振手段（１０３）は、前記一対の内側パネル（１０１）の両側に結合されて地震エネルギーを吸収し、
前記複数の外板（１０４）は、前記複数の制振手段（１０３）に結合され、
複数の補強部材（１０６）が、前記壁型ダンパ（１００）に対する剛性を高めるために、前記一対のカバー板（１０５）のそれぞれの表面に配置され、
前記一対の内側パネル（１０１）と、前記複数の制振手段（１０３）と、前記複数の外板（１０４）と、前記一対のカバー板（１０５）と、が平行な配置関係にあり、
前記一対の内側パネル（１０１）と、前記接合部（１０２）と、前記複数の制振手段（１０３）と、前記複数の外板（１０４）と、前記一対のカバー板（１０５）とは、複数のキャビティ（１１３）を備えており、前記キャビティを通る連結手段（１１２）により互いに位置合わせされている
ことを特徴とする、壁型ダンパ（１００）。
【請求項２】
前記保持手段（１０９）は、平坦面と逆Ｕ字型構造とを備えることを特徴とする請求項１に記載の壁型ダンパ（１００）。
【請求項３】
前記平坦面は前記上階に接続されていることを特徴とする請求項２に記載の壁型ダンパ（１００）。
【請求項４】
前記保持手段（１０９）の逆Ｕ字構造が前記一対の内側パネル（１０１）を所定の位置に保持することを特徴とする請求項２に記載の壁型ダンパ（１００）。
【請求項５】
前記頂部キャップ（１０８）は、逆Ｕ字型に構成される、請求項１に記載の壁型ダンパ（１００）。
【請求項６】
前記基部（１１０）は、前記プラットフォーム（１１１）に取り付けられていることを特徴とする請求項１に記載の壁型ダンパ（１００）。
【請求項７】
前記複数の制振手段（１０３）は、高制振ゴムシート、または天然ゴムなどの任意の類似の材料である、請求項１に記載の壁型ダンパ（１００）。
【発明の詳細な説明】
【技術分野】
【０００１】
本発明は、壁型ダンパに関し、より詳細には、振動による構造物の変位効果を低減するための制振ゴムを組み込んだ壁型ダンパに関する。
【背景技術】
【０００２】
壁型ダンパは、制振構造を有する中高層建物に広く使用されている。それらは、風や地震の動きのような、小さな振動と大きな振動の動的エネルギーを消散させることができる。ダンパに使用されるエネルギー吸収材料には、金属（例えば、鋼）、粘弾性材料（例えば、ゴム）、および流体（例えば、油）が含まれる。
【０００３】
従来技術において、壁型ダンパを製造するための幾つかの手法が開示されている。例えば、特開２００４−３０８２４８号公報には、建築構造物の振動を制御するための粘性壁が開示されている。粘性壁は、上部骨格に固定され、高粘性流体を充填した箱形壁に挿入された抵抗板で構成されている。流体中の抵抗板の水平運動は、建物の振動を制御するための粘性抵抗力を発生する。粘性壁は、流体中への空気の混合を防止するために、流体レベルと接触するレベル防止板を設けることによって改善されている。作動時、抵抗板は振動と同じ方向に移動し、その移動は粘性流体に抵抗される。しかしながら、抵抗板が一方の側に移動するにつれて、抵抗プレートの他方の側に相当なスペースが形成される。振動により抵抗板が戻ろうとすると、高粘度流体の流動が遅いため、隙間が埋まらないことがある。したがって、特に、繰り返される大規模な振動が発生する場合には、抵抗力の安定性を維持することが困難である。
【０００４】
マレーシア出願番号２０１６７００１４８号は、下階に接続されたタンクと、上階に接続されタンク内に延びるプレートと、タンクとプレートとの間の空間に充填された流体と、を備え、タンク内に仕切りを形成するためにタンク内に配置された隔壁によって特徴付けられる流体壁型ダンパを開示しており、この隔壁は、プレートを受け入れるためのスリットと、プレートに垂直かつ隔壁に平行に接続され、それぞれの隔壁に配置されるフィンと、流体の流れを制御するために、フィンの一方の側から他方の側に外方に延びるタンクの側壁に設けられる複動式栓を有するパイプとを有し、タンクに対するプレートの水平方向の移動によって、フィンは流体をパイプおよび複動式栓を通って、フィンの一方の側から他方の側に押すことで流体圧を低下させ、それによって、運動の動的力を消散させる。しかしながら、この引用技術の欠点は、製造プロセスにおける壁型ダンパのかさばった構造による圧縮成形の難しさを含み、プロセスがより扱いにくく、コストがかかる。
【０００５】
他の例では、東海ゴム工業株式会社と清水建設株式会社は、高性能粘弾性ゴムを用いた壁型ダンパを開発し、実用化した。この制振ダンパは、２枚のサイド鋼板と１枚の中間鋼板に挟まれた粘弾性ゴムで構成されている。サイド鋼板は壁の上梁にボルトで固定され、中間鋼板は壁型ダンパの基部に接続される。しかし、この壁型ダンパ組立体は、壁型ダンパの取り外しが複雑になるためメンテナンスが困難になるという欠点がある。
【０００６】
したがって、従来技術では、別の機構を適用することによって振動力を低減し、消散させるための壁型ダンパを提供する必要があることが分かる。
【先行技術文献】
【非特許文献】
【０００７】
【非特許文献１】東海ゴム工業株式会社、清水建設株式会社（２００５）「高性能粘弾性ゴムを使った壁型制震ダンパーを開発・実用化」東海ゴム工業株式会社プレスリリース。
【発明の概要】
【発明が解決しようとする課題】
【０００８】
本発明の目的は、振動効果を消散させるために粘弾性材料または同様の材料を組み込んだ壁型ダンパを提供することである。
【０００９】
また、本発明の目的は、製造およびメンテナンスが容易な壁型ダンパを提供することである。
【課題を解決するための手段】
【００１０】
したがって、これらの目的は、本発明の教示に従うことによって達成することができる。本発明は、上階及び下階に接続された壁型ダンパであって、頂部キャップと、一対のカバー板と、一対のサイド部材と、基部と、を備え、これらがフレーム構造を形成するよう互いに連結され、フレーム構造が、一対の内側パネルと、複数の制振手段と、複数の外板と、を収容し、前記一対の内側パネルは接合部によって上下に連結され、前記頂部キャップは、前記一対の内側パネルを収容するスリットを有し、前記複数の制振手段は前記一対の内側パネルの両側に拘束され、前記複数の外板が前記複数の制振手段に拘束され、複数の補強部材が前記一対のカバー板の各々の表面に配置され、前記一対の内側パネルと、前記複数の粘弾性材料と、前記複数の外板と、前記一対のカバー板とは、平行な関係に配置され、前記一対の内側パネルと、前記接合部と、前記複数の制振手段と、前記複数の外板と、前記一対のカバープレートは、複数のキャビティを備え、それらを通る連結手段により互いに位置合わせされている。
【００１１】
本発明の特徴は、本発明の好適な実施形態の添付図面と併せて読めば、以下の詳細な説明からより容易に理解され、理解されるであろう。
【図面の簡単な説明】
【００１２】
【図１ａ】壁型ダンパの分解図である。
【図１ｂ】壁型ダンパの等角図である。
【図２】壁型ダンパの組立図である。
【図３】本発明の保持手段、一対の内側パネル及び接合部の要素を示す図である。
【図４】本発明の制振手段の要素を示す図である。
【図５】本発明の外板の要素を示す図である。
【図６】本発明のカバー板の構成要素を示す図である。
【図７】本発明の複数の補強部材を示す図である。
【図８】本発明の頂部キャップの構成要素を示す図である。
【図９】本発明のサイド部材の要素を示す図である。
【図１０】本発明の基部の要素を示す図である。
【図１１】本発明のプラットフォームの要素を示す図である。
【図１２】は、本発明の壁型ダンパの性能のための、変位を伴う力のグラフを示す。
【発明を実施するための形態】
【００１３】
必要に応じて、本発明の詳細な実施形態が本明細書に開示されるが、開示される実施形態は、単に、様々な形態で実施され得る本発明の例示的なものであることを理解されたい。したがって、本明細書に開示される特定の構造および機能の詳細は、限定として解釈されるべきではなく、単に請求項の基礎として解釈されるべきである。図面および詳細な説明は、本発明を開示された特定の形態に限定するものではなく、逆に、本発明は、添付の請求の範囲によって定義される本発明の範囲内にあるすべての変形、等価物、および代替物をカバーするものであることを理解されたい。本出願全体を通して使用されるように、「可能性（ｍａｙ）」という用語は、強制的な意味（すなわち、必須の意味）ではなく、許容的な意味（すなわち、可能性を有するという意味）で使用される。同様に、用語「含む（ｉｎｃｌｕｄｅ，ｉｎｃｌｕｄｉｎｇ，ｉｎｃｌｕｄｅｓ）」は、含むがそれに限定されないことを意味する。さらに、単語「ａ」または「ａｎ」は、別段の記載がない限り、「少なくとも１つ」を意味し、「複数（ｐｌｕｒａｌｉｔｙ）」は、１つ以上を意味する。略語または技術用語が使用されている場合、これらは技術分野で知られている一般に受け入れられている意味を示す。参照を容易にするために、図面に共通の同一または類似の特徴を参照するときには、共通の参照番号が図面全体にわたって使用される。次に、図１ａ〜１２を参照して本発明を説明する。
【００１４】
本発明は、上階及び下階に接続された壁型ダンパ（１００）であって、
頂部キャップ（１０８）と、一対のカバー板（１０５）と、一対のサイド部材（１０７）と、及び基部（１１０）を有し、これらが互いに連結されることで、一対の内側パネル（１０１）と、複数の制振手段（１０３）と、複数の外板（１０４）と、を収容するフレーム構造を形成し、
前記一対の内側パネル（１０１）は、接合部（１０２）によって互いに垂直に連結され、保持手段（１０９）によって上階に係合し、プラットフォーム（１１１）によって下階に係合し、
前記頂部キャップ（１０８）は、前記一対の内側パネル（１０１）を受け入れるためのスリット（１１４）を有し、前記保持手段（１０９）がスリット（１１４）から延出され、
前記複数の制振手段（１０３）は、前記一対の内側パネル（１０１）の両側に結合されて地震エネルギーを吸収し、
前記複数の外板（１０４）は、前記複数の制振手段（１０３）に結合されて取り付けられ、
複数の補強部材（１０６）が、前記壁型ダンパ（１００）に対する剛性を高めるために、前記一対のカバー板（１０５）のそれぞれの表面に配置され、
前記一対の内側パネル（１０１）と、前記複数の制振手段（１０３）と、前記複数の外板（１０４）と、前記一対のカバー板（１０５）と、が平行な配置関係にあり、
前記一対の内側パネル（１０１）と、前記接合部（１０２）と、前記複数の制振手段（１０３）と、前記複数の外板（１０４）と、前記一対のカバー板（１０５）と、には複数のキャビティ（１１３）が設けられ、前記キャビティを通る連結手段（１１２）により互いに位置合わせされている。
【００１５】
壁型ダンパ（１００）の好ましい実施形態では、保持手段（１０９）は、平坦面と逆Ｕ字型構造とを備える。
【００１６】
壁型ダンパ（１００）の好ましい実施形態では、平坦面が上階に接続される。
【００１７】
壁型ダンパ（１００）の好ましい実施形態では、保持手段（１０９）の逆Ｕ字型構造が、一対の内側パネル（１０１）を所定の位置に保持する。
【００１８】
壁型ダンパ（１００）の好ましい実施形態では、頂部キャップ（１０８）は、逆Ｕ字形に構成される。
【００１９】
壁型ダンパ（１００）の好ましい実施形態では、基部（１１０）は、プラットフォーム（１１１）に取り付けられる。
【００２０】
壁型ダンパ（１００）の好ましい実施形態では、複数の制振手段（１０３）は、高制振ゴムシート、または天然ゴムなどの任意の類似の材料である。
【００２１】
以下は、本発明の利点をより容易に理解することができる壁型ダンパの例である。以下の実施例は、単に例示の目的のためのものであり、本発明を限定するものではないことを理解されたい。
【００２２】
実施例
【００２３】
本発明は、構造体内に組み込まれ、構造体内の動的エネルギーを消散させ、振動効果を低減する壁型ダンパ（１００）の開発に関する。図１ａ〜図２は、本発明によるパネルまたは壁型ダンパ（１００）の一実施形態を示す。壁型ダンパ（１００）は、連結手段（１１２）または溶接を用いて上階および下階に設置される。好ましい実施形態では、連結手段（１１２）は、ボルト及びナットを含む。前記壁型ダンパ（１００）は、頂部キャップ（１０８）と、一対のカバー板（１０５）と、一対のサイド部材（１０７）と、基部（１１０）とを備え、これらが相互に連結されて、一対の内側パネル（１０１）と、複数の制振手段（１０３）と、複数の外板（１０４）と、を収容するフレーム構造を形成している。頂部キャップ（１０８）、カバー板（１０５）、サイド部材（１０７）、基部（１１０）、一対の内側パネル（１０１）、制振手段（１０３）、及び外板（１０４）の要素は、図４〜図１０に示されている。
【００２４】
図３を参照すると、一対の内側パネル（１０１）の一方が保持手段（１０９）によって上階に係合され、一対の内側パネル（１０１）の他方がプラットフォーム（１１１）によって下階に連結されるように、ボルトとナット、リベット、又は溶接などの手段である接合部（１０２）によって互いに上下に連結されている。好ましい実施形態では、一対の内側パネル１０１は、並列関係に配置され、連結手段（１１２）または当業者によって通常使用される任意のタイプの結束ツールによって互いに接続することができる、単一層又は多層のパネルの形態である。好ましい実施形態において、基部（１１０）は、プラットフォーム（１１１）に取り付けられ、プラットフォームの要素は、図１１に示される。
【００２５】
好ましい実施形態において、保持手段（１０９）は、図３に示されるように、平坦面および逆Ｕ字形状を備える。保持手段（１０９）の逆Ｕ字状構造が一対の内側パネル（１０１）を所定の位置に保持し、平坦面は上階に接続される。
【００２６】
頂部キャップ（１０８）は、一対の内側パネル（１０１）を受け入れるような大きさのスリット（１１４）を有し、図２に示されるように、保持手段（１０９）がスリット（１１４）から延出し、一対の内側パネル（１０１）がフレーム構造の長さを通してスリット（１１４）から延出される。
【００２７】
図１ａを参照すると、複数の制振手段（１０３）は、一対の内側パネル（１０１）の両側に結合されている。好ましい実施形態では、高制振ゴムシートが制振手段（１０３）として使用される。高制振ゴムは常温変化にほとんど影響されず、耐振動性に優れている。粘弾性ゴムは低価格で、ごく一部の例として、マレーシア、タイ、インドネシアなどの国々で利用されている。高制振粘弾性ゴムは、一対の内側パネル（１０１）を介して、上階又は下階又はこれらの組合せから伝達される階層間構造物の運動及び振動を消散及び吸収するように機能する。
【００２８】
図１ａおよび１ｂは、複数の外板（１０４）が複数の制振手段（１０３）に結合されていることを示す。好ましい実施形態では、一対のカバー板（１０５）、頂部キャップ（１０８）、基部（１１０）、一対のサイド部材（１０７）、一対の内側パネル（１０１）、及び複数の外板（１０４）は、好ましくは、前記壁型ダンパ（１００）に対する過度の圧力に耐えることができる鋼または任意の強固で耐久性のある材料で形成される。
【００２９】
一対の内側パネル（１０１）、接合部（１０２）、複数の制振手段（１０３）、複数の外板（１０４）、及び一対のカバー板（１０５）は、その表面に複数のキャビティ（１１３）が設けられている。
【００３０】
図１ｂを参照すると、一対の内側パネル（１０１）と、複数の制振手段（１０３）と、複数の外板（１０４）と一対のカバー板（１０５）とが、複数のキャビティ（１１３）が位置合わせされるように並列に配置されており、これらを通る連結手段（１０９）により一組に連結される。接合部（１０２）は、一対のカバー板（１０５）のキャビティと位置合わせされた少なくとも１つのキャビティを有し、連結手段（１１２）がこれらを通ることで、全体として壁型ダンパ（１００）を固定することを可能にする。本発明の壁型ダンパ（１００）は、成形、据付及びメンテナンスを容易にするために、一対の内側パネル（１０１）、複数の制振手段（１０３）、複数の外板（１０４）及び一対のカバー板（１０５）が、それぞれ独立して個別に硬くプレスされるように製造される。
【００３１】
複数の補強部材（１０６）が、平面内および平面外方向の前記壁型ダンパ（１００）に対する剛性を増加させるために、一対のカバー板（１０５）のそれぞれの表面に配置される。好ましい実施形態では、複数の補強部材（１０６）は、長尺長方形の中空鋼であり、面外方向の座屈を防止するために、水平方向、垂直方向、および斜め方向の補強材として、一対のカバー板（１０５）のそれぞれの外面に取り付けられる。補強部材（１０６）は、所望の剛性を提供するために、任意の好適な形状および構成とすることができる。複数の補強部材（１０６）の取付けは、好ましくは、ボルト及びナット、リベット等のような連結手段（１１２）によって行われる。
【００３２】
例えば、振動発生時には、鋼板や部材を介して高制振ゴム板に振動が伝わり、ゴムの変形により建物の振動が減衰し、振動エネルギーが吸収される。
【００３３】
図１２は、本発明の壁型ダンパの性能のための、変位を伴う力のグラフを示す。
【００３４】
本発明は、特定の実施形態を参照して説明され、また、添付の図面に示されているが、当業者には、明細書に記載され、以下の請求の範囲に定義されているように、本発明の範囲内で多くの変形および修正がなされ得ることが明らかであろう。
【００３５】
本発明による添付図面で使用される参照番号の説明は以下の通りである。
【符号の説明】
【００３６】
１００  壁型ダンパ
１０１  一対の内側パネル
１０２  接合部
１０３  複数の制振手段
１０４  複数の外板
１０５  カバー板
１０６  複数の補強部材
１０７  一対のサイド部材
１０８  頂部キャップ
１０９  保持手段
１１０  基部
１１１  プラットフォーム
１１２  連結手段
１１３  複数のキャビティ
１１４  スリット
【図１ａ】
2019218844.tif 000003
【図１ｂ】
2019218844.tif 000004
【図２】
2019218844.tif 000005
【図３】
2019218844.tif 000006
【図４】
2019218844.tif 000007
【図５】
2019218844.tif 000008
【図６】
2019218844.tif 000009
【図７】
2019218844.tif 000010
【図８】
2019218844.tif 000011
【図９】
2019218844.tif 000012
【図１０】
2019218844.tif 000013
【図１１】
2019218844.tif 000014
【図１２】
2019218844.tif 000015
【外国語明細書】
2019218844000001.pdf